(57)【要約】【課題】部品数の削減と、装置の小型化を実現しつつ、開口部を円形に近い形状に維持することが可能な光量調整装置を提供する。【解決手段】絞りホルダ１は光軸に対し直交して配置され、下側絞り羽根２および上側絞り羽根３は、光軸に対して直交する方向に移動する。また、４枚の補助絞り羽根４ａ〜４ｄも軸１２ａ，１２ｂ，１２ｃ，１２ｄを中心に光軸に対して直交する下側絞り羽根２および上側絞り羽根３に対して摺動するように回動する。そして、光通過孔１１の径にほぼ等しい略半円形状の開口形成部２１，３１を有する下側絞り羽根２および上側絞り羽根３と、光通過孔１１の径の一部にほぼ一致する内縁部４１を有する４枚の補助絞り羽根４ａ〜４ｄとが、互いに開口領域の形状を補完し合うように駆動することによって、開口部を円形に近い形状に維持することができる。【選択図】図１
2012220761.tif 000002
【特許請求の範囲】
【請求項１】
光軸に対して直交する方向に沿って接離的にスライドすることにより開口領域を形成する開口形成部を有する一対のスライド絞り羽根と、外光を透過させる開口部を備えるとともに前記一対のスライド絞り羽根を収容する絞りホルダと、前記一対のスライド絞り羽根に駆動力を供給する駆動源と、を備えた光量調整装置であって、
カム穴と、開口径の大きさを変化させるための内縁部が形成された複数の対をなす補助絞り羽根を備えており、
前記補助絞り羽根は、前記絞りホルダに設けられた第１の軸を中心に回動可能であり、一対の補助絞り羽根が前記一対のスライド絞り羽根にそれぞれ設けられた駆動軸にカム穴を介して保持され、
前記駆動源の駆動により、前記一対のスライド絞り羽根のスライドに連動して複数の対をなす補助絞り羽根の内縁部が前記開口形成部によって形成される開口領域に対して挿脱されることで、開口径の大きさを変化させることを特徴とする光量調整装置。
【請求項２】
前記一対のスライド絞り羽根に設けられたそれぞれの駆動軸は、光軸に対して直交する直線上に配置されており、
前記駆動軸にカム穴を介して保持される一対の補助絞り羽根は、前記直線に対して線対称である位置に配置され、
また一対の補助絞り羽根は、他の一対の補助絞り羽根に対し、光軸に直交し、かつ光軸を通過しつつ前記直線に対しても略垂直な直線に対して線対称である配置とされており、
各補助絞り羽根は、前記線対称の関係を保ちながら光軸に対して直交する平面上を駆動することを特徴とする請求項１に記載の光量調整装置。
【請求項３】
光軸に対して直交する方向に沿って接離的にスライドすることにより開口領域を形成する開口形成部を有する一対のスライド絞り羽根と、外光を透過させる開口部を備えるとともに前記一対のスライド絞り羽根を収容する絞りホルダと、前記一対のスライド絞り羽根に駆動力を供給する駆動源と、を備えた光量調整装置であって、
カム穴と、開口径の大きさを変化させるための内縁部が形成された複数の対をなす補助絞り羽根を備えており、
一対の補助絞り羽根は、前記一対のスライド絞り羽根にそれぞれ設けられた駆動軸を中心に回動可能であり、
前記補助絞り羽根は前記絞りホルダに設けられた第１の軸にカム穴を介して保持され、
前記駆動源の駆動により、前記一対のスライド絞り羽根のスライドに連動して複数の対をなす補助絞り羽根の内縁部が前記開口形成部によって形成される開口領域に対して挿脱されることで、開口径の大きさを変化させることを特徴とする光量調整装置。
【請求項４】
前記一対のスライド絞り羽根に設けられたそれぞれの駆動軸は、光軸に対して直交する直線上に配置されており、
前記駆動軸を中心に回動可能な一対の補助絞り羽根は、前記直線に対して線対称である位置に配置され、
また一対の補助絞り羽根は、他の一対の補助絞り羽根に対し、光軸に略直交し、かつ光軸を通過しつつ前記直線に対しても略垂直な直線に対して線対称である配置とされており、
各補助絞り羽根は、前記線対称の関係を保ちながら光軸に対して直交する平面上を駆動することを特徴とする請求項３に記載の光量調整装置。
【請求項５】
前記一対のスライド絞り羽根は、前記第１の軸に嵌入され、前記一対のスライド絞り羽根のスライド方向に延びる縦溝を備えていることを特徴とする請求項１〜４のいずれか一つに記載の光量調整装置。
【請求項６】
前記絞りホルダには、前記第１の軸が設けられている領域よりも外側の、前記第１の軸を基点に駆動する各部材の動作を阻害しない位置で、前記スライド絞り羽根のスライド方向と略垂直な方向に第２の軸が設けられており、
前記一対のスライド絞り羽根は、前記第２の軸に嵌入され、前記スライドの方向に沿って延びる縦溝を備えていることを特徴とする請求項５に記載の光量調整装置。
【請求項７】
前記スライド絞り羽根の開口形成部は前記絞りホルダの開口部の径に略一致する略半円形状を有し、
前記補助絞り羽根の内縁部は前記絞りホルダの開口部の径の一部に略一致する形状を有しており、
前記一対のスライド絞り羽根のスライドに伴い、前記一対のスライド羽根の開口形成部と前記複数の対をなす補助絞り羽根の内縁部とが互いに補完し合うことにより、前記開口領域の形状を略円形に保持することを特徴とする請求項１〜６のいずれか一つに記載の光量調整装置。
【発明の詳細な説明】
【技術分野】
【０００１】
本発明は、絞り径を良好な形状で変化させることができる小型の光量調整装置に関する。
【背景技術】
【０００２】
従来より、ビデオカメラやスチルカメラ等の撮像装置のレンズ鏡筒に組み込まれる光量調整装置が多く提案されている（たとえば、特許文献１，２を参照。）。
【０００３】
特許文献１に記載の光量調整装置は、光量調節開口部の対向する箇所に光軸と直交する平面に沿って、光軸に対して接離する方向にスライド可能に設けられた一対の直進絞り羽根と、光軸と平行する軸心を中心として、光軸に対して接離する方向に揺動可能に設けられた一対の絞り羽根をもち、それを同時に動かすことで光量調節開口部を形成する。この装置は、従来より一般的であった、光量調節開口部の対向する箇所に光軸と直交する平面に沿って、光軸に対して接離する方向にスライド可能に設けられた一対の直進絞り羽根のみで光量調節開口部を形成する装置に比べ、光量調節開口部をより円に近いものにすることができるという利点がある。
【０００４】
また、特許文献２に記載の光量調節装置は、２枚の絞り羽根が入射光の光軸に対し互いに近接または離れる方向に移動して絞り開口の大きさを変えるものであり、特に２枚の絞り羽根のうちの少なくとも１枚には絞り羽根の移動に連動して絞り開口の方向に進退自在な所定の光透過特性を有する光学フィルタを備えている。この装置は、絞り開口を透過する光の透過量を細かく調節し、最大絞り時においても十分な光量を確保できるという利点がある。
【先行技術文献】
【特許文献】
【０００５】
【特許文献１】特開２００９−１１５８３２号公報
【特許文献２】特開２００４−２０５５５７号公報
【発明の概要】
【発明が解決しようとする課題】
【０００６】
近年、光学系の高倍率化、高解像度化が促進されており、そのためには光学系に用いられる光量調整装置の開口もより円形に近い形状のものが望まれる。
【０００７】
しかしながら、特許文献１に記載の装置は、従来より一般的であった、光量調節開口部の対向する箇所に光軸と直交する平面に沿って、光軸に対して接離する方向にスライド可能に設けられた一対の直進絞り羽根のみで光量調節開口部を形成する装置に比べ、光軸を軸として回転する回転部材が新たに必要であり、また光軸方向と光軸に対して垂直な方向にもスペースが必要となって、部品点数の増加とともに、装置が大型化するという問題がある。この装置は、近年強く要求されている光学系の小型化を実現するためには不向きなものである。
【０００８】
また、特許文献２に記載の装置は、常時開口部が円形に近い形状であるとは云い難く、光学系の高倍率化、高解像度化を促進するためには不向きである。
【０００９】
本発明は、上述した従来技術による問題点を解消するため、部品数の削減と、装置の小型化を実現しつつ、開口部を円形に近い形状に維持することが可能な光量調整装置を提供することを目的とする。
【課題を解決するための手段】
【００１０】
上述した課題を解決し、目的を達成するため、本発明にかかる光量調整装置は、光軸に対して直交する方向に沿って接離的にスライドすることにより開口領域を形成する開口形成部を有する一対のスライド絞り羽根と、外光を透過させる開口部を備えるとともに前記一対のスライド絞り羽根を収容する絞りホルダと、前記一対のスライド絞り羽根に駆動力を供給する駆動源と、を備えた光量調整装置であって、カム穴と、開口径の大きさを変化させるための内縁部が形成された複数の対をなす補助絞り羽根を備えており、前記補助絞り羽根は、前記絞りホルダに設けられた第１の軸を中心に回動可能であり、一対の補助絞り羽根が前記一対のスライド絞り羽根にそれぞれ設けられた駆動軸にカム穴を介して保持され、前記駆動源の駆動により、前記一対のスライド絞り羽根のスライドに連動して複数の対をなす補助絞り羽根の内縁部が前記開口形成部によって形成される開口領域に対して挿脱されることで、開口径の大きさを変化させることを特徴とする。
【００１１】
さらに、本発明にかかる光量調整装置は、前記発明において、前記一対のスライド絞り羽根に設けられたそれぞれの駆動軸が、光軸に対して直交する直線上に配置されており、前記駆動軸にカム穴を介して保持される一対の補助絞り羽根が、前記直線に対して線対称である位置に配置され、また一対の補助絞り羽根が、他の一対の補助絞り羽根に対し、光軸に略直交し、かつ光軸を通過しつつ前記直線に対しても略垂直な直線に対して線対称である配置とされており、各補助絞り羽根が、前記線対称の関係を保ちながら光軸に対して直交する平面上を駆動することを特徴とする。
【００１２】
また、本発明にかかる光量調整装置は、光軸に対して直交する方向に沿って接離的にスライドすることにより開口領域を形成する開口形成部を有する一対のスライド絞り羽根と、外光を透過させる開口部を備えるとともに前記一対のスライド絞り羽根を収容する絞りホルダと、前記一対のスライド絞り羽根に駆動力を供給する駆動源と、を備えた光量調整装置であって、カム穴と、開口径の大きさを変化させるための内縁部が形成された複数の対をなす補助絞り羽根を備えており、一対の補助絞り羽根は前記一対のスライド絞り羽根にそれぞれ設けられた駆動軸を中心に回動可能であり、前記補助絞り羽根は前記絞りホルダに設けられた第１の軸にカム穴を介して保持され、前記駆動源の駆動により、前記一対のスライド絞り羽根のスライドに連動して複数の対をなす補助絞り羽根の内縁部が前記開口形成部によって形成される開口領域に対して挿脱されることで、開口径の大きさを変化させることを特徴とする。
【００１３】
さらに、本発明にかかる光量調整装置は、前記発明において、前記一対のスライド絞り羽根に設けられたそれぞれの駆動軸が、光軸に対して直交する直線上に配置されており、前記駆動軸を中心に回動可能な一対の補助絞り羽根が、前記直線に対して線対称である位置に配置され、また一対の補助絞り羽根が、他の一対の補助絞り羽根に対し、光軸に直交し、かつ光軸を通過しつつ前記直線に対しても略垂直な直線に対して線対称である配置とされており、各補助絞り羽根が、前記線対称の関係を保ちながら光軸に対して直交する平面上を駆動することを特徴とする。
【００１４】
さらに、本発明にかかる光量調整装置は、前記発明において、前記一対のスライド絞り羽根が、前記第１の軸に嵌入され、前記一対のスライド絞り羽根のスライド方向に延びる縦溝を備えていることを特徴とする。
【００１５】
さらに、本発明にかかる光量調整装置は、前記発明において、前記絞りホルダには、前記第１の軸が設けられている領域よりも外側の、前記第１の軸を基点に駆動する各部材の動作を阻害しない位置で、前記スライド絞り羽根のスライド方向と略垂直な方向に第２の軸が設けられており、前記一対のスライド絞り羽根が、前記第２の軸に嵌入され、前記スライドの方向に沿って延びる縦溝を備えていることを特徴とする。
【００１６】
さらに、本発明にかかる光量調整装置は、前記発明において、前記スライド絞り羽根の開口形成部が前記絞りホルダの開口部の径に略一致する略半円形状を有し、前記補助絞り羽根の内縁部が前記絞りホルダの開口部の径の一部に略一致する形状を有しており、前記一対のスライド絞り羽根のスライドに伴い、前記一対のスライド羽根の開口形成部と前記複数の対をなす補助絞り羽根の内縁部とが互いに補完し合うことにより、前記開口領域の形状を略円形に保持することを特徴とする。
【発明の効果】
【００１７】
本発明によれば、部品数の削減と、装置の小型化を実現しつつ、常時開口部を円形に近い形状に維持することが可能な光量調整装置を提供することができるという効果を奏する。
【図面の簡単な説明】
【００１８】
【図１】実施の形態１にかかる光量調整装置の分解斜視図である。
【図２−１】実施の形態１にかかる光量調整装置の絞り動作を説明するための図である（その１）。
【図２−２】実施の形態１にかかる光量調整装置の絞り動作を説明するための図である（その２）。
【図２−３】実施の形態１にかかる光量調整装置の絞り動作を説明するための図である（その３）。
【図２−４】実施の形態１にかかる光量調整装置の絞り動作を説明するための図である（その４）。
【図３】実施の形態２にかかる光量調整装置の分解斜視図である。
【図４】実施の形態２にかかる光量調整装置の正面図である。
【図５−１】実施の形態３にかかる光量調整装置の絞り動作を説明するための図である（その１）。
【図５−２】実施の形態３にかかる光量調整装置の絞り動作を説明するための図である（その２）。
【図５−３】実施の形態３にかかる光量調整装置の絞り動作を説明するための図である（その３）。
【発明を実施するための形態】
【００１９】
以下、添付図面を参照して、この発明にかかる光量調整装置の好適な実施の形態を詳細に説明する。
【００２０】
（実施の形態１）
図１は、実施の形態１にかかる光量調整装置の分解斜視図である。実施の形態１にかかる光量調整装置は、絞りホルダ１と、図１で見て下側絞り羽根２と、上側絞り羽根３と、４枚の補助絞り羽根４（４ａ〜４ｄ）と、カバー板５と、駆動源６と、を備えている。
【００２１】
絞りホルダ１の略中央部から上方寄りの位置には、略円形の光通過孔１１が形成されている。光通過孔１１の斜め上方および斜め下方には、それぞれ軸１２ａ，１２ｂ，１２ｃ，１２ｄが図示しない物体側へ突出形成されている。軸１２ｃは軸１２ａの直下に設けられており、軸１２ｄは軸１２ｂの直下に設けられている。また、軸１２ａ，１２ｃと軸１２ｂ，１２ｄとは、絞りホルダ１の中心線に対して線対称の位置にある。絞りホルダ１は、上方に比べ下方がやや広く形成されている。
【００２２】
下側絞り羽根２は、下方の略右半分が切り欠かれた状態で、略中央部からやや上方よりの位置に光通過孔１１の径にほぼ等しい略半円形状の開口形成部２１が形成されている。また、開口形成部２１の最下淵部２１ａの真下には駆動軸２２が前方（物体側）へ突出形成されている。さらに、開口形成部２１の左端には、上下に長い直進ガイド穴２３ａ，２３ｂが形成されている。直進ガイド穴２３ａ，２３ｂは大きさ、形状とも同一であり、直進ガイド穴２３ｂは、直進ガイド穴２３ａの直下に形成されている。下側絞り羽根２の左側下端部は、外側に突出している。また、下側絞り羽根２の左側下端部には、左右方向に延びた回転連結穴２４が形成されている。
【００２３】
上側絞り羽根３は、下方の略左半分が切り欠かれた形状で、中心付近に光通過孔１１の径にほぼ等しい略半円形状の開口形成部３１が形成されている。また、開口形成部３１の最上淵部３１ａの真上には駆動軸３２が前方（物体側）へ突出形成されている。なお、駆動軸３２と最上淵部３１ａとの距離は、下側絞り羽根２における最下淵部２１ａと駆動軸２２との距離と同等である。
【００２４】
さらに、上側絞り羽根３の左端上部に、上下に長い直進ガイド穴３３ａが形成されている。絞りホルダ１に上側絞り羽根３を取り付けた際、直進ガイド穴３３ａは下側絞り羽根２に形成されている直進ガイド穴２３ａ，２３ｂと同一直線上に位置する。また、直進ガイド穴３３ａは、直進ガイド穴２３ａ，２３ｂと大きさ、形状が同一である。一方、上側絞り羽根３の右端には、上下に長い直進ガイド穴３３ｂが形成されている。直進ガイド穴３３ｂは、大きさ、形状とも直進ガイド穴３３ａと同一であり、上側絞り羽根３の中心線に対し直進ガイド穴３３ａと線対称の位置にある。
【００２５】
また、直進ガイド穴３３ｂの直下には、直進ガイド穴３３ｃが形成されている。直進ガイド穴３３ｃは、大きさ、形状とも直進ガイド穴３３ｂと同一である。また、上側絞り羽根３の右側下端部は、外側に突出している。上側絞り羽根３の右側下端部には、左右方向に延びた回転連結穴３４が形成されている。
【００２６】
補助絞り羽根４（４ａ〜４ｄ）は、略弓状をなし、光通過孔１１の径の一部にほぼ一致した内縁部４１を有している。また、補助絞り羽根４の略中央部には円弧状に切り欠かれたカム穴４２が形成され、端部には回転中心穴４３が形成されている。カム穴４２も略弓状に形成されているが、補助絞り羽根４の外形とは逆の方向に撓んでいる。
【００２７】
カバー板５の略中央部から上方寄りの位置には、光通過孔１１の形状にほぼ等しい開口部５１が形成されている。さらに、開口部５１の上端部および下端部には、それぞれ上下方向に延びる溝部５１ａ，５１ｂが形成されている。また、開口部５１の斜め上方および斜め下方には、それぞれ孔５２ａ，５２ｂ，５２ｃ，５２ｄが形成されている。孔５２ａ，５２ｂ，５２ｃ，５２ｄの位置は、カバー板５を絞りホルダ１に取り付けた際、絞りホルダ１に形成されている軸１２ａ，１２ｂ，１２ｃ，１２ｄの位置と一致する。
【００２８】
また、カバー板５の下方の両端部近傍には、円弧状に切り欠かれたカム穴５３ａ，５３ｂが形成されている。カム穴５３ａとカム穴５３ｂとは、カバー板５の中心線に対し互いに線対称の位置にある。カバー板５の形状も、絞りホルダ１に合わせ、上方に比べ下方がやや広く形成されている。
【００２９】
駆動源６は、駆動モータ６ａと、駆動モータ６ａに接続された駆動手段（不図示）とからなる。この駆動手段は、回転レバーと、この回転レバーから水平に延びるアームと、アームの左右両先端部にそれぞれ設けられた左右の連結ピン（駆動部材）とで構成されている。左右の連結ピンは、カバー板５のカム穴５３ａ，５３ｂを介してそれぞれ下側絞り羽根２の回転連結穴２４と上側絞り羽根３の回転連結穴３４に挿入される。
【００３０】
次に、図１を参照しながら実施の形態１にかかる光量調整装置の組み立て手順を説明する。まず、絞りホルダ１の軸１２ａ，１２ｃに対し下側絞り羽根２の直進ガイド穴２３ａ，２３ｂを嵌め込み、下側絞り羽根２を絞りホルダ１に取り付ける。
【００３１】
次に、下側絞り羽根２が絞りホルダ１に取り付けられた状態で、絞りホルダ１の軸１２ａ，１２ｂ，１２ｄに対し上側絞り羽根３の直進ガイド穴３３ａ，３３ｂ，３３ｃを嵌め込み、上側絞り羽根３を絞りホルダ１に取り付ける。このようにすることで、下側絞り羽根２は軸１２ａ，１２ｃに対して、上側絞り羽根３は軸１２ａ，１２ｂ，１２ｄに対して摺動自在になり、下側絞り羽根２および上側絞り羽根３は絞りホルダ１に対して上下方向にスライド可能になる。
【００３２】
次に、１枚の補助絞り羽根４ｃの回転中心穴４３を絞りホルダ１の軸１２ａに、カム穴４２を上側絞り羽根３の駆動軸３２に嵌め込み、内縁部４１が下を向くように補助絞り羽根４ｃを絞りホルダ１に取り付ける。次に、他の補助絞り羽根４ｂの回転中心穴４３を絞りホルダ１の軸１２ｄに、カム穴４２を下側絞り羽根２の駆動軸２２に嵌め込み、内縁部４１が上を向くように補助絞り羽根４ｂを絞りホルダ１に取り付ける。
【００３３】
続けて、他の補助絞り羽根４ｄの回転中心穴４３を絞りホルダ１の軸１２ｂに、カム穴４２を上側絞り羽根３の駆動軸３２に嵌め込み、内縁部４１が下を向くように補助絞り羽根４ｄを絞りホルダ１に取り付ける。そして、最後に残った補助絞り羽根４ａの回転中心穴４３を絞りホルダ１の軸１２ｃに、カム穴４２を下側絞り羽根２の駆動軸２２に嵌め込み、内縁部４１が上を向くように補助絞り羽根４ａを絞りホルダ１に取り付ける。
【００３４】
補助絞り羽根４（４ａ〜４ｄ）は、駆動軸２２，３２によってカム穴４２を介して保持されることによって、内縁部４１の位置が規定される。駆動軸２２に嵌入された一対の補助絞り羽根４ａ，４ｂは、駆動軸２２を通る直線に対して線対称な位置にある。また、駆動軸３２に嵌入された一対の補助絞り羽根４ｃ，４ｄも、駆動軸３２を通る直線に対して線対称な位置にある。このようにすることで、４枚の補助絞り羽根４（４ａ〜４ｄ）は、それぞれ軸１２ａ，１２ｂ，１２ｃ，１２ｄを中心に、線対称の関係を保ちながら回動可能になる。
【００３５】
また、上側に配置された一対の補助絞り羽根４ｃ，４ｄのそれぞれのカム穴４２は上側絞り羽根３の駆動軸３２に嵌入され、下側に配置された一対の補助絞り羽根４ａ，４ｂのそれぞれのカム穴４２は下側絞り羽根２の駆動軸２２に嵌入されているので、下側絞り羽根２および上側絞り羽根３が上下方向にスライドするのと連動して、下側絞り羽根２の開口形成部２１と上側絞り羽根３の開口形成部３１と４枚の補助絞り羽根４（４ａ〜４ｄ）の内縁部４１とにより形成される開口径の大きさを変えることができるようになる。
【００３６】
次に、カバー板５の孔５２ａ，５２ｂ，５２ｃ，５２ｄをそれぞれ絞りホルダ１の軸１２ａ，１２ｂ，１２ｃ，１２ｄに嵌め込み、カバー板５を絞りホルダ１に取り付ける。このとき、上側絞り羽根３の駆動軸３２と下側絞り羽根２の駆動軸２２が、それぞれカバー板５の溝部５１ａ，５１ｂに被嵌され、下側絞り羽根２の駆動軸２２、上側絞り羽根３の駆動軸３２、および４枚の補助絞り羽根４が絞りホルダ１から外れないようになり、光軸方向の位置決めがなされる。
【００３７】
最後に、駆動源６の駆動手段の左右の連結ピンを、カバー板５のカム穴５３ａ，５３ｂを介してそれぞれ下側絞り羽根２の回転連結穴２４と上側絞り羽根３の回転連結穴３４に挿入する。こうすることで、駆動モータ６ａの駆動により、駆動手段を正逆方向に回転させ、下側絞り羽根２および上側絞り羽根３を上下方向にスライドさせることができるようになる。
【００３８】
図２−１〜図２−４は、それぞれ実施の形態１にかかる光量調整装置の絞り動作を説明するための図である。なお、説明の便宜上、カバー板５や駆動源６は省略してある。図２−１は、最大絞り状態である。絞りホルダ１は光軸に対し直交して（垂直な位置に）配置され、光通過孔１１の中心が光軸と一致する。したがって、下側絞り羽根２および上側絞り羽根３は、光軸に対して垂直方向に移動する。また、４枚の補助絞り羽根４（４ａ〜４ｄ）も軸１２ａ，１２ｂ，１２ｃ，１２ｄを中心に光軸に対して垂直に位置する下側絞り羽根２および上側絞り羽根３に対して摺動するように回動する。なお、駆動軸２２および駆動軸３２は、光軸を通る同一直線上に位置する。
【００３９】
また、駆動軸２２に嵌入された一対の補助絞り羽根４ａ，４ｂは、駆動軸２２，３２を通る直線に対して線対称な位置にある。そして、駆動軸２２に嵌入された一対の補助絞り羽根４ａ，４ｂは、駆動軸２２，３２を通る直線に対して線対称である関係を保ちながら光軸に対して垂直な平面上を駆動する。一方、駆動軸３２に嵌入された一対の補助絞り羽根４ｃ，４ｄも、駆動軸３２，２２を通る直線に対して線対称な位置にある。そして、駆動軸３２に嵌入された一対の補助絞り羽根４ｃ，４ｄも、駆動軸３２，２２を通る直線に対して線対称である関係を保ちながら光軸に対して垂直な平面上を駆動する。
【００４０】
さらに、一対の補助絞り羽根４ｃ，４ｂは、他の一対の補助絞り羽根４ｄ，４ａに対して、光軸に対して垂直で、かつ光軸を通りつつ駆動軸２２，３２を結ぶ直線に対しても垂直な直線に対し線対称な位置にあり、４枚の補助絞り羽根４（４ａ〜４ｄ）はかかる関係を保ちながら駆動する。
【００４１】
下側絞り羽根２を下方向に、上側絞り羽根３を上方向に移動させることで、下側絞り羽根２の最下部が絞りホルダ１の下側淵部、上側絞り羽根３の最上部が絞りホルダ１の上側淵部に当接する。そして、下側絞り羽根２の開口形成部２１の最下淵部２１ａおよび上側絞り羽根３の開口形成部３１の最上淵部３１ａは絞りホルダ１の光通過孔１１の縁とほぼ一致する位置にある状態となる。
【００４２】
このとき、４枚の補助絞り羽根４（４ａ〜４ｄ）も光通過孔１１の中心（光軸）から最も離れた位置にあり、各補助絞り羽根４（４ａ〜４ｄ）の内縁部４１が光通過孔１１の縁とほぼ一致する位置にある。このように、開口形成部２１，３１と、内縁部４１で形成される開口領域６０はほぼ円形をなす光通過孔１１の縁と一致するため、最大絞り時の開口領域６０は略円形をなす。
【００４３】
図２−２は、図２−１の状態からやや下側絞り羽根２を上方向に、上側絞り羽根３を下方向にスライドさせた状態である。補助絞り羽根４に形成されたカム穴４２は補助絞り羽根４の外形とは逆の方向に略弓状に撓んでいる。したがって、下側絞り羽根２および上側絞り羽根３の上下移動に伴って、カム穴４２に嵌入された駆動軸２２，３２の間隔が狭まっていき、４枚の補助絞り羽根４（４ａ〜４ｄ）が光軸中心に向かって移動する。
【００４４】
このとき、下側絞り羽根２の開口形成部２１と、上側絞り羽根３の開口形成部３１と、４枚の補助絞り羽根４（４ａ〜４ｄ）の内縁部４１とにより形成される開口領域６０は、完全に光通過孔１１の内側に位置する。この状態では、下側絞り羽根２の開口形成部２１と上側絞り羽根３の開口形成部３１とにより形成される開口の形状と、４枚の補助絞り羽根４（４ａ〜４ｄ）の内縁部４１によって形成される開口の形状とは一致していない。しかしながら、双方で補完し合うことにより、開口領域６０の略円形状は維持される。
【００４５】
図２−３は、図２−２の状態からさらに下側絞り羽根２を上方向に、上側絞り羽根３を下方向にスライドさせ、４枚の補助絞り羽根４（４ａ〜４ｄ）をさらに光軸中心に向かって移動させた状態である。この状態においても、下側絞り羽根２の開口形成部２１と上側絞り羽根３の開口形成部３１とにより形成される開口の形状と、４枚の補助絞り羽根４（４ａ〜４ｄ）の内縁部４１によって形成される開口の形状とは一致していない。しかし、双方が補完し合うことで、下側絞り羽根２の開口形成部２１と、上側絞り羽根３の開口形成部３１と、４枚の補助絞り羽根４の内縁部４１とにより形成される開口領域６０の形状は、略円形状に維持される。
【００４６】
図２−４は、最小絞り状態を示す図である。この状態では、開口領域６０は光通過孔１１の中心付近に位置し、最も小さくなる。この状態においても、下側絞り羽根２の開口形成部２１と上側絞り羽根３の開口形成部３１とにより形成される開口の形状と、４枚の補助絞り羽根４（４ａ〜４ｄ）の内縁部４１によって形成される開口の形状とは一致していない。しかし、双方が補完し合うことで、下側絞り羽根２の開口形成部２１と、上側絞り羽根３の開口形成部３１と、４枚の補助絞り羽根４（４ａ〜４ｄ）の内縁部４１とにより形成される開口領域６０は略円形状に維持される。
【００４７】
以上説明したように、実施の形態１の光量調整装置は、従来技術のように、光軸と平行する軸心を中心として、光軸に対して接離する方向に揺動可能に設けられた一対の絞り羽根を動かすための回転部材を必要としない分だけ部品点数を削減でき、装置構成の簡易化を図ることができる。また、かかる回転部材を備えるために必要であったスペースも不要になる分、装置の小型化を図ることができる。
【００４８】
また、光通過孔１１の径にほぼ等しい略半円形状の開口形成部２１，３１を有する下側絞り羽根２および上側絞り羽根３と、光通過孔１１の径の一部にほぼ一致する内縁部４１を有する４枚の補助絞り羽根４（４ａ〜４ｄ）とが、互いに開口領域６０の形状を補完し合うように駆動することによって、開口部を円形に近い形状に維持することができる。このことは、高倍率化、高解像度化の要求が高まっている撮像装置に最適である。
【００４９】
（実施の形態２）
図３は、実施の形態２にかかる光量調整装置の分解斜視図である。実施の形態２にかかる光量調整装置の特徴は、実施の形態１に示した下側絞り羽根２と上側絞り羽根３において、絞りホルダ１に対して摺動させるための基点となる直進ガイド穴をさらに追加し、追加された直進ガイド穴が延びる方向と駆動源６を構成する駆動手段の連結ピン（駆動部材）の駆動方向を略一致させたことにある。この他の構成は同様である。
【００５０】
すなわち、絞りホルダ１は、実施の形態１に示したものより幅広く略長方形状になっている。そして、実施の形態１に示した構成に加え、軸１２ａ，１２ｂ，１２ｃ，１２ｄ（第１の軸）が形成された領域の外側で、下側絞り羽根２および上側絞り羽根３のスライド方向に対して略垂直な方向に、軸１２ｅ，１２ｆ，１２ｇ，１２ｈ（第２の軸）が図示しない物体側へ突出形成されている。軸１２ｇは軸１２ｅの直下に形成されており、軸１２ｈは軸１２ｆの直下に形成されている。なお、軸１２ｅ，１２ｆ，１２ｇ，１２ｈは、軸１２ａ，１２ｂ，１２ｃ，１２ｄを基点に駆動する各部材の動作を阻害しない位置に形成されている。
【００５１】
下側絞り羽根２は、実施の形態１に示した構成に加え、直進ガイド穴２３ａの左外側近傍に直進ガイド穴２３ｃが形成され、その直下に直進ガイド穴２３ｄが形成されている。直進ガイド穴２３ｃ，２３ｄは大きさ、形状とも同一である。なお、直進ガイド穴２３ｃ，２３ｄの延びる方向は、駆動手段（不図示）の一方の連結ピンの駆動方向と略一致している。
【００５２】
上側絞り羽根３は、実施の形態１に示した構成に加え、直進ガイド穴３３ａの左側近傍に上下に長い直進ガイド穴３３ｄが形成されている。直進ガイド穴３３ｄは、上側絞り羽根３を絞りホルダ１に取り付けた際に、一部が下側絞り羽根２に形成された直進ガイド穴２３ｃが延びる方向と略一致する位置に形成される。また、直進ガイド穴３３ｂの右側近傍に上下に長い直進ガイド穴３３ｅが形成され、直進ガイド穴３３ｅの直下に上下に長い直進ガイド穴３３ｆが形成されている。なお、直進ガイド穴３３ｅ，３３ｆの延びる方向は、駆動手段の他の一方の連結ピンの駆動方向と略一致している。
【００５３】
実施の形態２の光量調整装置に用いる補助絞り羽根４は、実施の形態１に示したものと同じである。また、各絞り羽根を駆動する駆動源も、カバー板も実施の形態１のものと同様であるため、説明は省略する。
【００５４】
次に、図３を参照しながら実施の形態２にかかる光量調整装置の組み立て手順を説明する。まず、絞りホルダ１の軸１２ａ，１２ｃ，１２ｅ，１２ｇに対し下側絞り羽根２の直進ガイド穴２３ａ，２３ｂ，２３ｃ，２３ｄを嵌め込み、下側絞り羽根２を絞りホルダ１に取り付ける。
【００５５】
次に、下側絞り羽根２が絞りホルダ１に取り付けられた状態で、絞りホルダ１の軸１２ａ，１２ｂ，１２ｄ，１２ｅ，１２ｆ，１２ｈに対し上側絞り羽根３の直進ガイド穴３３ａ，３３ｂ，３３ｃ，３３ｄ，３３ｅ，３３ｆを嵌め込み、上側絞り羽根３を絞りホルダ１に取り付ける。
【００５６】
このようにすることで、下側絞り羽根２は軸１２ａ，１２ｃ，１２ｅ，１２ｇに対して、上側絞り羽根３は軸１２ａ，１２ｂ，１２ｄ，１２ｅ，１２ｆ，１２ｈに対して摺動自在になり、下側絞り羽根２および上側絞り羽根３は絞りホルダ１に対して上下方向にスライド可能になる。
【００５７】
次に、１枚の補助絞り羽根４ｄの回転中心穴４３を絞りホルダ１の軸１２ａに、カム穴４２を上側絞り羽根３の駆動軸３２に嵌め込み、内縁部４１が下を向くように補助絞り羽根４ｄを絞りホルダ１に取り付ける。次に、他の補助絞り羽根４ｂの回転中心穴４３を絞りホルダ１の軸１２ｄに、カム穴４２を下側絞り羽根２の駆動軸２２に嵌め込み、内縁部４１が上を向くように補助絞り羽根４ｂを絞りホルダ１に取り付ける。
【００５８】
続けて、他の補助絞り羽根４ｃの回転中心穴４３を絞りホルダ１の軸１２ｂに、カム穴４２を上側絞り羽根３の駆動軸３２に嵌め込み、内縁部４１が下を向くように補助絞り羽根４ｃを絞りホルダ１に取り付ける。そして、最後に残った補助絞り羽根４ａの回転中心穴４３を絞りホルダ１の軸１２ｃに、カム穴４２を下側絞り羽根２の駆動軸２２に嵌め込み、内縁部４１が上を向くように補助絞り羽根４ａを絞りホルダ１に取り付ける。
【００５９】
補助絞り羽根４（４ａ〜４ｄ）は、駆動軸２２，３２によってカム穴４２を介して保持されることによって、内縁部４１の位置が規定される。駆動軸２２に嵌入された一対の補助絞り羽根４ａ，４ｂは、駆動軸２２，３２を通る直線に対して線対称な位置にある。また、駆動軸３２に嵌入された一対の補助絞り羽根４ｃ，４ｄも、駆動軸３２，２２を通る直線に対して線対称な位置にある。
【００６０】
このようにすることで、４枚の補助絞り羽根４（４ａ〜４ｄ）は、それぞれ軸１２ａ，１２ｂ，１２ｃ，１２ｄを中心に，線対称な関係を保ちながら回動可能になる。また、上側に配置された一対の補助絞り羽根４ｃ，４ｄのそれぞれのカム穴４２は上側絞り羽根３の駆動軸３２に嵌入され、下側に配置された一対の補助絞り羽根４ａ，４ｂのそれぞれのカム穴４２は下側絞り羽根２の駆動軸２２に嵌入されているので、下側絞り羽根２および上側絞り羽根３が上下方向にスライドするのと連動して、下側絞り羽根２の開口形成部２１と上側絞り羽根３の開口形成部３１と４枚の補助絞り羽根４（４ａ〜４ｄ）の内縁部４１とにより形成される開口径の大きさを変えることができるようになる。
【００６１】
図４は、実施の形態２の光量調整装置の正面図である。最大絞り状態が示されている。実施の形態１に示した例と同様に、絞りホルダ１は光軸に対し垂直な位置に配置され、光通過孔１１の中心が光軸と一致する。したがって、下側絞り羽根２および上側絞り羽根３は、光軸に対して垂直方向に移動する。
【００６２】
また、４枚の補助絞り羽根４（４ａ〜４ｄ）も軸１２ａ，１２ｂ，１２ｃ，１２ｄを中心に光軸に対して垂直に位置する下側絞り羽根２および上側絞り羽根３に対して摺動するように回動する。なお、駆動軸２２および駆動軸３２は、光軸を通る同一直線上に位置する。また、駆動軸２２に嵌入された一対の補助絞り羽根４ａ，４ｂは、駆動軸２２，３２を通る直線に対して線対称な位置にある。駆動軸３２に嵌入された一対の補助絞り羽根４ｃ，４ｄも、駆動軸３２，２２を通る直線に対して線対称な位置にある。
【００６３】
そして、駆動軸２２に嵌入された一対の補助絞り羽根４ａ，４ｂは、駆動軸２２，３２を通る直線に対して線対称である関係を保ちながら光軸に対して垂直な平面上を駆動する。一方、駆動軸３２に嵌入された一対の補助絞り羽根４ｃ，４ｄも、駆動軸３２，２２を通る直線に対して線対称な位置にある。そして、駆動軸３２に嵌入された一対の補助絞り羽根４も、駆動軸３２，２２を通る直線に対して線対称である関係を保ちながら光軸に対して垂直な平面上を駆動する。
【００６４】
さらに、一対の補助絞り羽根４ｃ，４ｂは、他の一対の補助絞り羽根４ｄ，４ａに対して、光軸に対して垂直で、かつ光軸を通りつつ駆動軸２２，３２を結ぶ直線に対しても垂直な直線に対し線対称な位置にあり、４枚の補助絞り羽根４（４ａ〜４ｄ）はかかる関係を保ちながら駆動する。
【００６５】
下側絞り羽根２を下方向、上側絞り羽根３を上方向に移動させることで、下側絞り羽根３の最下部が絞りホルダ１の下側淵部、上側絞り羽根３の最上部が絞りホルダ１の上側淵部に当接する。実施の形態２では、下側絞り羽根２を絞りホルダ１に対して摺動させるために形成された直進ガイド穴２３ｃ，２３ｄの延びる方向が駆動手段（不図示）の一方の連結ピンの駆動方向と略一致している。また、上側絞り羽根３を絞りホルダ１に対して摺動させるために形成された直進ガイド穴３３ｅ，３３ｆの延びる方向も駆動手段（不図示）の他の一方の連結ピンの駆動方向と略一致している。したがって、絞りホルダ１に対する下側絞り羽根２および上側絞り羽根３の摺動抵抗を小さくすることができる。
【００６６】
そして、下側絞り羽根２の開口形成部２１の最下淵部２１ａおよび上側絞り羽根３の開口形成部３１の最上淵部３１ａは絞りホルダ１の光通過孔１１の縁とほぼ一致する位置にある状態となる。このとき、４枚の補助絞り羽根４（４ａ〜４ｄ）も光通過孔１１の中心（光軸）から最も離れた位置にあり、各補助絞り羽根４（４ａ〜４ｄ）の内縁部４１が光通過孔１１の縁とほぼ一致する位置にある。このように、開口形成部２１，３１と、内縁部４１で形成される開口領域６０がほぼ円形をなす光通過孔１１の縁と一致するため、最大絞り時の開口領域６０は略円形をなす。この後の光量調整装置の絞り動作は、図２を参照して説明した実施の形態１と同様であるため、説明は省略する。
【００６７】
以上説明したように、実施の形態２の光量調整装置は、実施の形態１と同様、少ない部品、簡易な構成でありながら、光通過孔１１の径にほぼ等しい略半円形状の開口形成部２１，３１を有する下側絞り羽根２および上側絞り羽根３と、光通過孔１１の径の一部にほぼ一致する内縁部４１を有する４枚の補助絞り羽根４（４ａ〜４ｄ）とが、互いに開口形状を補完し合うように駆動することによって、開口領域６０を円形に近い形状に維持することができる。このことは、高倍率化、高解像度化の要求が高まっている撮像装置に最適である。
【００６８】
加えて、下側絞り羽根２と上側絞り羽根３を絞りホルダ１に対して摺動させるために基点となる直進ガイド穴をさらに追加し、追加された直進ガイド穴が延びる方向と駆動手段の連結ピンの駆動方向を略一致させたことで、絞りホルダ１に対する下側絞り羽根２および上側絞り羽根３の摺動抵抗を小さくすることができ、各絞り羽根をスムーズに駆動させることが可能になる。
【００６９】
（実施の形態３）
図５−１〜図５−３は、それぞれ実施の形態３にかかる光量調整装置の絞り動作を説明するための図である。図５−１は、最大絞り状態である。なお、カバー板５や駆動源６は実施の形態１と同様のものを使用可能なため、ここでは省略してある。本実施の形態では、絞りホルダ１、下側絞り羽根２、および上側絞り羽根３の構成は、実施の形態１と同様であり、補助絞り羽根の構成が異なる。すなわち、この実施の形態３で用いる補助絞り羽根７（７ａ〜７ｄ）は、略弓状をなし、絞りホルダ１の光通過孔１１の径の一部にほぼ一致した内縁部７１を有している。また、補助絞り羽根７（７ａ〜７ｄ）の略中央部には回転中心穴７２が形成され、端部には外側から内縁部７１へ向かって切り欠かれたカム穴７３が形成されている。
【００７０】
絞りホルダ１は光軸に対し垂直な位置に配置され、光通過孔１１の中心が光軸と一致する。したがって、下側絞り羽根２および上側絞り羽根３は、光軸に対して垂直方向に移動する。また、１枚の補助絞り羽根７ａは、回転中心穴７２を上側絞り羽根３の駆動軸３２に、カム穴７３を絞りホルダ１の軸１２ａに嵌め込むようにして、絞りホルダ１に取り付けられている。次の１枚の補助絞り羽根７ｂは、回転中心穴７２を下側絞り羽根２の駆動軸２２に、カム穴７３を絞りホルダ１の軸１２ｄに嵌め込むようにして、絞りホルダ１に取り付けられている。
【００７１】
さらに、１枚の補助絞り羽根７ｃが、回転中心穴７２を上側絞り羽根３の駆動軸３２に、カム穴７３を絞りホルダ１の軸１２ｂに嵌め込むようにして、絞りホルダ１に取り付けられている。最後の１枚の補助絞り羽根７ｄは、回転中心穴７２を下側絞り羽根２の駆動軸２２に、カム穴７３を絞りホルダ１の軸１２ｃに嵌め込むようにして、絞りホルダ１に取り付けられている。
【００７２】
補助絞り羽根７（７ａ〜７ｄ）は、軸１２ａ，１２ｂ，１２ｃ，１２ｄにカム穴７３を介して保持されることによって、内縁部７１の位置が規定される。４枚の補助絞り羽根７（７ａ〜７ｄ）は、駆動軸２２，３２を中心に光軸に対して垂直に位置する下側絞り羽根２および上側絞り羽根３に対して摺動するように回動する。なお、駆動軸２２および駆動軸３２は、光軸を通る同一直線上に位置する。また、駆動軸２２に嵌合された一対の補助絞り羽根７ｂ，７ｄは、駆動軸２２，３２を通る直線に対して線対称な位置にある。また、駆動軸３２に嵌合された一対の補助絞り羽根７ａ，７ｃも、駆動軸３２，２２を通る直線に対して線対称な位置にある。
【００７３】
そして、一対の補助絞り羽根７ａ，７ｃは、駆動軸２２を中心に、駆動軸２２，３２を通る直線に対して線対称である関係を保ちながら光軸に対して垂直な平面上を駆動する。また、他の一対の補助絞り羽根７ｂ，７ｄも、駆動軸３２を中心に、駆動軸３２，２２を通る直線に対して線対称である関係を保ちながら光軸に対して垂直な平面上を駆動する。
【００７４】
さらに、一対の補助絞り羽根７ａ，７ｄは、他の一対の補助絞り羽根７ｂ，７ｃに対して、光軸に対して垂直で、かつ光軸を通りつつ駆動軸２２，３２を結ぶ直線に対しても垂直な直線に対し線対称な位置にあり、４枚の補助絞り羽根７（７ａ〜７ｄ）はかかる関係を保ちながら駆動する。このような構成を備えた補助絞り羽根７であっても、下側絞り羽根２および上側絞り羽根３のスライドと連動させることで、開口領域６０の良好な形状（略円形）を維持しながら絞りを動作させることができる。
【００７５】
下側絞り羽根２を下方向に、上側絞り羽根３を上方向に移動させることで、下側絞り羽根２の最下部が絞りホルダ１の下側淵部、上側絞り羽根３の最上部が絞りホルダ１の上側淵部に当接する。そして、下側絞り羽根２の開口形成部２１の最下淵部２１ａおよび上側絞り羽根３の開口形成部３１の最上淵部３１ａは絞りホルダ１の光通過孔１１の縁とほぼ一致する。このとき、４枚の補助絞り羽根７（７ａ〜７ｄ）も光通過孔１１の中心（光軸）から最も離れた位置にあり、各補助絞り羽根７（７ａ〜７ｄ）の内縁部７１が光通過孔１１の縁とほぼ一致する位置にある。このように、開口形成部２１，３１と、内縁部７１で形成される開口領域６０がほぼ円形をなす光通過孔１１の縁と一致するため、最大絞り時の開口領域６０は略円形をなす。
【００７６】
図５−２は、図５−１の状態から下側絞り羽根２を上方向に、上側絞り羽根３を下方向にスライドさせた、中間絞りの状態である。補助絞り羽根７（７ａ〜７ｄ）に形成されたカム穴７３は補助絞り羽根７の外側から内縁部７１に向かって延びている。したがって、下側絞り羽根２および上側絞り羽根３の上下移動に伴って、補助絞り羽根７（７ａ〜７ｄ）の回転中心穴７２に嵌入された駆動軸２２，３２の間隔が狭まっていき、カム穴７３に嵌入された軸１２ａ，１２ｂ，１２ｃ，１２ｄに４枚の補助絞り羽根７（７ａ〜７ｄ）を光軸中心に向かって押し出す力が生じる。
【００７７】
この結果、４枚の補助絞り羽根７（７ａ〜７ｄ）が駆動軸２２，３２を中心にして光軸中心に向かって移動する。このとき、下側絞り羽根２の開口形成部２１と、上側絞り羽根３の開口形成部３１と、４枚の補助絞り羽根７（７ａ〜７ｄ）の内縁部７１とにより形成される開口領域６０は、完全に光通過孔１１の内側に位置する。この状態では、下側絞り羽根２の開口形成部２１と上側絞り羽根３の開口形成部３１とにより形成される開口の形状と、４枚の補助絞り羽根７（７ａ〜７ｄ）の内縁部７１によって形成される開口の形状とは一致していない。しかしながら、双方で補完し合うことにより、開口領域６０の略円形状は維持される。
【００７８】
図５−３は、図５−２の状態からさらに下側絞り羽根２を上方向に、上側絞り羽根３を下方向に移動させ、４枚の補助絞り羽根７（７ａ〜７ｄ）をさらに光軸中心に向かって移動させ、開口を閉じた状態である。下側絞り羽根２および上側絞り羽根３の上下移動に伴って、４枚の補助絞り羽根７（７ａ〜７ｄ）がさらに光軸の中心方向に回転移動させられ、内縁部７１が重なり合うことで、開口が閉じた状態が形成される。
【００７９】
以上説明したように、補助絞り羽根７（７ａ〜７ｄ）に形成される回転中心穴７２とカム穴７３を実施の形態１とを異なる位置に形成した場合であっても、実施の形態１の場合と同様に、少ない部品、簡易な構成でありながら、光通過孔１１の径にほぼ等しい略半円形状の開口形成部２１，３１を有する下側絞り羽根２および上側絞り羽根３と、光通過孔１１の径の一部にほぼ一致する内縁部７１を有する４枚の補助絞り羽根７（７ａ〜７ｄ）とが、互いに開口形状を補完し合うように駆動することによって、開口領域６０を円形に近い形状に維持することができる。
【００８０】
さらに、本実施の形態に示した装置においても、実施の形態２に示した例のように、下側絞り羽根２と上側絞り羽根３において、絞りホルダ１に対して摺動させるために基点となる直進ガイド穴をさらに追加し、追加された直進ガイド穴が延びる方向と駆動源６を構成する駆動手段の連結ピン（駆動部材）の駆動方向を略一致させてもよい。このようにすることで、絞りホルダ１に対する下側絞り羽根２および上側絞り羽根３の摺動抵抗を小さくすることができ、各絞り羽根をスムーズに駆動させることが可能になる。
【産業上の利用可能性】
【００８１】
以上のように、この本発明にかかる光量調整装置は、小型化が要求される撮像機器に有用であり、特に、高倍率、高解像が要求される撮像機器に適している。
【符号の説明】
【００８２】
１  絞りホルダ
２  下側絞り羽根（スライド絞り羽根）
３  上側絞り羽根（スライド絞り羽根）
４（４ａ〜４ｄ），７（７ａ〜７ｄ）  補助絞り羽根
５  カバー板
６  駆動源
６ａ  駆動モータ
１１  光通過孔（開口部）
１２ａ，１２ｂ，１２ｃ，１２ｄ，１２ｅ，１２ｆ，１２ｇ，１２ｈ  軸
２１、３１  開口形成部
２１ａ  最下淵部
２２，３２  駆動軸
２３ａ，２３ｂ，２３ｃ，２３ｄ，３３ａ，３３ｂ，３３ｃ，３３ｄ，３３ｅ，３３ｆ  直進ガイド穴（縦溝）
２４，３４  回転連結穴
３１ａ  最上淵部
４１，７１  内縁部
４２，５３ａ，５３ｂ，７３  カム穴
４３，７２  回転中心穴
５１  開口部
５１ａ，５１ｂ  溝部
５２ａ，５２ｂ，５２ｃ，５２ｄ  孔
【図１】
2012220761.tif 000003
【図２−１】
2012220761.tif 000004
【図２−２】
2012220761.tif 000005
【図２−３】
2012220761.tif 000006
【図２−４】
2012220761.tif 000007
【図３】
2012220761.tif 000008
【図４】
2012220761.tif 000009
【図５−１】
2012220761.tif 000010
【図５−２】
2012220761.tif 000011
【図５−３】
2012220761.tif 000012